(57)【要約】【課題】金属製品との間にＲＦＩＤ磁性シート８をあらかじめ介在させ、金属製品に近接して取り付けてもリーダーライターとの間におけるデータ通信を可能とし、使用形態に融通性を持たせることができるＲＦＩＤラベルおよびＲＦＩＤラベル連続体を提供すること。【解決手段】ＲＦＩＤ磁性シート８をあらかじめＲＦＩＤインレット６に対向するようにラベル基材４に配置することに着目し、ラベル基材４の裏面にＲＦＩＤインレット６を配置し、ＲＦＩＤインレット６の裏面にＲＦＩＤ磁性シート８を配置し、ＲＦＩＤ磁性シート８の裏面側にシート用粘着剤層（第３の粘着剤層９）を設けていることを特徴とする。【選択図】図１
2013156905.tif 000002
【特許請求の範囲】
【請求項１】
ラベル基材と、
このラベル基材に装備するとともにＩＣチップおよびＲＦＩＤアンテナを有して無線によるデータ通信が可能なＲＦＩＤインレットと、を有するＲＦＩＤラベルであって、
前記ラベル基材には、その裏面側に前記ＲＦＩＤインレットを配置し、
前記ＲＦＩＤインレットの裏面側にＲＦＩＤ磁性シートを配置し、
このＲＦＩＤ磁性シートの裏面側にシート用粘着剤層を設けていることを特徴とするＲＦＩＤラベル。
【請求項２】
前記ＲＦＩＤ磁性シートは、前記ＲＦＩＤインレットの前記ＲＦＩＤアンテナを覆うことができる大きさを有していることを特徴とする請求項１記載のＲＦＩＤラベル。
【請求項３】
前記ラベル基材の表面に可変情報を印字可能としていることを特徴とする請求項１または２記載のＲＦＩＤラベル。
【請求項４】
前記ラベル基材と前記ＲＦＩＤインレットの間には、第１の粘着剤層を設け、
前記ＲＦＩＤインレットと前記ＲＦＩＤ磁性シートとの間には、第２の粘着剤層を設けていることを特徴とする請求項１ないし３のいずれかに記載のＲＦＩＤラベル。
【請求項５】
ラベル基材と、
このラベル基材に装備するとともにＩＣチップおよびＲＦＩＤアンテナを有して無線によるデータ通信が可能なＲＦＩＤインレットと、を有するＲＦＩＤラベルの複数枚を有するＲＦＩＤラベル連続体であって、
前記ラベル基材には、その裏面側に前記ＲＦＩＤインレットを配置し、
前記ＲＦＩＤインレットの裏面側にＲＦＩＤ磁性シートを配置し、
このＲＦＩＤ磁性シートの裏面側にシート用粘着剤層を設け、
帯状の台紙上にそれぞれの前記ラベル基材を仮着可能としていることを特徴とするＲＦＩＤラベル連続体。
【発明の詳細な説明】
【技術分野】
【０００１】
本発明はＲＦＩＤ（Ｒａｄｉｏ  Ｆｒｅｑｕｅｎｃｙ  Ｉｄｅｎｔｉｆｉｃａｔｉｏｎ；無線自動認識）ラベルおよびＲＦＩＤラベル連続体にかかるもので、とくに金属製品に取り付けるためのＲＦＩＤラベルおよびＲＦＩＤラベル連続体に関するものである。
【背景技術】
【０００２】
従来から、ＩＣチップおよびＲＦＩＤアンテナを有して無線によりデータの書込みおよび読取りを行うことができるＲＦＩＤインレットを備えたＲＦＩＤラベルを各種物品に貼り付け、これら物品についての各種データの読み書きを行って、必要なデータ管理など諸々の分野に利用している。
【０００３】
しかして、上記物品が金属製である場合には、上記ＲＦＩＤラベルが物品に近接しすぎた状態で貼り付けられると、ＲＦＩＤアンテナと無線通信可能なライターアンテナを有するリーダーライターとの間におけるデータ通信に支障が生じやすいという問題がある。
この問題を解消するために、とくにＨＦ帯（３ＭＨｚ〜３０ＭＨｚ（たとえば、１３．５６ＭＨｚ））の電波を使用するＲＦＩＤインレットの場合には、ＲＦＩＤインレットと金属製品との間に透磁率が比較的高い磁性シート（ＲＦＩＤ磁性シート）を介在させることにより、ライターアンテナからの磁束が磁性シート内部を通りＲＦＩＤアンテナに誘導電流が流れて、ＲＦＩＤアンテナおよびライターアンテナ間の無線通信を可能とすることが行われている。
【０００４】
しかしながら、上記ＲＦＩＤ磁性シートは、あらかじめ所定の表示情報（固定情報）を有するように構成したＲＦＩＤラベルと金属製品との間にこれを介在させて使用する形態であったために、当該ＲＦＩＤラベルに必要に応じて任意の可変情報を表示することが困難であるとともに、その使用態様にも限界があるという問題がある。
ＲＦＩＤタグに可変情報を印字して表示するには、ＲＦＩＤインレットの保持部分を折り曲げることにより他の部分から離反させ、金属表面から起立させるようにしたものがある（特許文献１）。しかし、折り曲げる手間がかかるなど、万能とはいえない。
【先行技術文献】
【特許文献】
【０００５】
【特許文献１】特開２００７−１２２５４２号公報
【発明の概要】
【発明が解決しようとする課題】
【０００６】
本発明は以上のような諸問題にかんがみなされたもので、金属製品に近接して取り付けてもリーダーライターとの間におけるデータ通信を可能とするＲＦＩＤラベルおよびＲＦＩＤラベル連続体を提供することを課題とする。
【０００７】
また本発明は、金属製品との間にＲＦＩＤ磁性シートをあらかじめ介在させてデータ通信機能を維持可能としたＲＦＩＤラベルおよびＲＦＩＤラベル連続体を提供することを課題とする。
【０００８】
また本発明は、あらかじめＲＦＩＤ磁性シートを有し、必要に応じて金属製品への取付け形態を選択し、使用形態に融通性を持たせることができるＲＦＩＤラベルおよびＲＦＩＤラベル連続体を提供することを課題とする。
【課題を解決するための手段】
【０００９】
すなわち本発明は、ＲＦＩＤ磁性シートをあらかじめＲＦＩＤインレットに対向するようにラベル基材にこれらを積層すること、すなわち、このＲＦＩＤ磁性シートがＲＦＩＤインレットと金属製品との間に位置するように構成することに着目したもので、第一の発明は、ラベル基材と、このラベル基材に装備するとともにＩＣチップおよびＲＦＩＤアンテナを有して無線によるデータ通信が可能なＲＦＩＤインレットと、を有するＲＦＩＤラベルであって、上記ラベル基材には、その裏面側に上記ＲＦＩＤインレットを配置し、上記ＲＦＩＤインレットの裏面側にＲＦＩＤ磁性シートを配置し、このＲＦＩＤ磁性シートの裏面側にシート用粘着剤層を設けていることを特徴とするＲＦＩＤラベルである。
【００１０】
第二の発明は、ラベル基材と、このラベル基材に装備するとともにＩＣチップおよびＲＦＩＤアンテナを有して無線によるデータ通信が可能なＲＦＩＤインレットと、を有するＲＦＩＤラベルの複数枚を有するＲＦＩＤラベル連続体であって、上記ラベル基材には、その裏面側に上記ＲＦＩＤインレットを配置し、上記ＲＦＩＤインレットの裏面側にＲＦＩＤ磁性シートを配置し、このＲＦＩＤ磁性シートの裏面側にシート用粘着剤層を設け、帯状の台紙上にそれぞれの上記ラベル基材を仮着可能としていることを特徴とするＲＦＩＤラベル連続体である。
【００１１】
上記ＲＦＩＤ磁性シートは、上記ＲＦＩＤインレットの上記ＲＦＩＤアンテナを覆うことができる大きさを有していることができる。
【００１２】
上記ラベル基材の表面に可変情報を印字可能としていることができる。
【００１３】
上記ラベル基材と上記ＲＦＩＤインレットの間には、第１の粘着剤層を設け、上記ＲＦＩＤインレットと上記ＲＦＩＤ磁性シートとの間には、第２の粘着剤層を設けていることができる。
【発明の効果】
【００１４】
本発明によるＲＦＩＤラベルおよびＲＦＩＤラベル連続体においては、ラベル基材の裏面にＲＦＩＤインレットを配置し、ＲＦＩＤインレットの裏面にＲＦＩＤ磁性シートを配置し、ＲＦＩＤインレットとＲＦＩＤ磁性シートとを互いに対向可能としているので、ＲＦＩＤインレットと金属製品との間にＲＦＩＤ磁性シートを介在させることができ、金属製品との間の距離が短くてもデータ通信を可能とすることができるとともに、当該ＲＦＩＤラベル自体にＲＦＩＤ磁性シートを内蔵させているので、その金属製品への取付け形態を必要に応じて幅広く選択することができる。
【００１５】
とくに第一の発明のＲＦＩＤラベルによれば、ラベル基材にＲＦＩＤインレットおよびＲＦＩＤ磁性シートを積層配置し、ＲＦＩＤインレットとＲＦＩＤ磁性シートとを互いに対向可能とし、ＲＦＩＤ磁性シートを内蔵したＲＦＩＤラベルとすることができ、金属製品への貼付け形態であってもデータ通信を可能とし、ＲＦＩＤラベルとしての使用態様に融通を持たせることができる。
【００１６】
とくに第二の発明のＲＦＩＤラベル連続体によれば、ラベル基材にＲＦＩＤインレットとＲＦＩＤ磁性シートとを互いに対向させるように配置するとともに、帯状の台紙上にそれぞれのラベル基材を仮着可能としているので、必要に応じて任意の方式のプリンターにこれを装填して、各ＲＦＩＤラベルのＩＣチップに情報を記録するとともに、ラベル基材の表面側に連続して所定の可変情報を印字することができる。
もちろん、任意の方式のラベル貼付け装置に当該ＲＦＩＤラベル連続体を装填して、ＲＦＩＤラベルを自動的に貼り付けるシステムに組み込むこともできる。
【図面の簡単な説明】
【００１７】
【図１】本発明の実施例によるＲＦＩＤラベル連続体１の平面図である。
【図２】同、図１のＩＩ−ＩＩ線断面図である。
【図３】同、ラベル基材４に印字するためのサーマルプリンター１７の概略側面図である。
【図４】同、サーマルプリンター１７により印字したＲＦＩＤラベル３の平面図である。
【図５】同、印字済みのＲＦＩＤラベル３を金属製品Ｍに取り付けた状態の側面図である。
【発明を実施するための形態】
【００１８】
本発明は、ラベル基材にＲＦＩＤインレットおよびＲＦＩＤ磁性シートを積層し、ＲＦＩＤインレットおよびＲＦＩＤ磁性シートを対向可能とし、金属製品に取り付けてもデータ通信が可能なＲＦＩＤラベルおよびＲＦＩＤラベル連続体を実現した。
【実施例】
【００１９】
つぎに本発明の実施例によるＲＦＩＤラベルおよびＲＦＩＤラベル連続体を図１ないし図５にもとづき説明する。
図１は、ＲＦＩＤラベル連続体１の平面図、図２は、図１のＩＩ−ＩＩ線断面図であって、ＲＦＩＤラベル連続体１は、帯状の台紙２と、この台紙２上に連続して所定のピッチで仮着した複数枚のＲＦＩＤラベル３と、を有する
【００２０】
ＲＦＩＤラベル３は、ラベル基材４と、ラベル基材４の裏面側に塗工した第１の粘着剤層５と、ＲＦＩＤインレット６と、ＲＦＩＤインレット６の裏面側に塗工した第２の粘着剤層７と、ＲＦＩＤ磁性シート８と、台紙２側に面して第１の粘着剤層５とともにＲＦＩＤラベル３全体を台紙２に仮着するＲＦＩＤ磁性シート８の裏面側に設けた第３の粘着剤層９（シート用粘着剤層）と、を有する。
すなわち、ラベル基材４とＲＦＩＤインレット６の間に、第１の粘着剤層５を設け、ＲＦＩＤインレット６とＲＦＩＤ磁性シート８との間に、第２の粘着剤層７を設けて、ラベル基材４にＲＦＩＤインレット６およびＲＦＩＤ磁性シート８を一体化している。
【００２１】
ラベル基材４は、紙材あるいは合成樹脂材によるシート状の部材であって、その裏面に第１の粘着剤層５を有するとともに、その表面には任意の情報（固定情報１０および可変情報１１、図３および図４において後述）を印字可能としている。
【００２２】
ラベル基材４の裏面側には、そのほぼ中央部にＲＦＩＤインレット６およびＲＦＩＤ磁性シート８を配置するとともに、ＲＦＩＤインレット６の裏面側にＲＦＩＤ磁性シート８を配置していて、ＲＦＩＤインレット６とＲＦＩＤ磁性シート８とが互いに積層対向可能としている。
ラベル基材４は、その裏面に（より正確には、ＲＦＩＤインレット６およびＲＦＩＤ磁性シート８の周囲を囲むように）、上記第１の粘着剤層５を有し、ＲＦＩＤ磁性シート８が第３の粘着剤層９を有することにより、帯状の台紙２上にそれぞれのラベル基材４を仮着可能としている。
【００２３】
ＲＦＩＤインレット６は、フィルム状のインレットシート１２上にＩＣチップ１３およびＲＦＩＤアンテナ１４を有して無線によるデータ通信が可能である。
【００２４】
ＲＦＩＤ磁性シート８は、透磁率が比較的高く磁気損失が低い金属系の粉体を合成樹脂シートに練り込んだものであり、少なくともＲＦＩＤインレット６のＲＦＩＤアンテナ１４を覆うことができる大きさを有している。
上記金属の粉体としては、たとえば、鉄やニッケルのような金属、フェライトのような金属酸化物、パーマロイのような合金を用いることが望ましい。粉体の形状は、等方性でも異方性でも、扁平していてもよい。
【００２５】
なお、台紙２の裏面には、プリンター（サーマルプリンター１７、図３）においてＲＦＩＤラベル３の相対位置を検出するための位置検出用マーク１５をあらかじめ印刷してある。
【００２６】
既述のように、ラベル基材４の表面には、固定情報１０および可変情報１１を印字可能としているもので、図３は、ラベル基材４に印字するためのサーマルプリンター１７の概略側面図、図４は、サーマルプリンター１７により印字したＲＦＩＤラベル３の平面図である。
サーマルプリンター１７は、ＲＦＩＤラベル連続体１の供給部１８と、検出部１９と、データ読書き部２０と、印字部２１と、剥離部２２と、を有する。
【００２７】
供給部１８は、ＲＦＩＤラベル連続体１をロール状に保持するとともに、検出部１９、データ読書き部２０および印字部２１の方向に帯状に繰り出し可能としている。
【００２８】
検出部１９は、ＲＦＩＤラベル連続体１の裏面に位置する位置検出用マーク１５を検出可能な光学センサー２３を有する。
【００２９】
データ読書き部２０は、内蔵アンテナ２４を有し、ＲＦＩＤインレット６との間におけるデータ通信によってそのＩＣチップ１３へのデータ読書きが可能であるとともに、印字部２１の近傍にこれを設けて、印字部２１によるＲＦＩＤラベル３の表面上への各種情報（可変情報１１）の印字とほぼ同時にデータ通信を行うことができる。
なお、内蔵アンテナ２４（データ読書き部２０）を設ける位置としては、印字部２１の上流側あるいは下流側のいずれでもよい。
【００３０】
印字部２１は、サーマルヘッド２５およびプラテンローラー２６と、熱転写インクリボン２７の供給軸２８および巻取り軸２９と、を有する。
サーマルヘッド２５およびプラテンローラー２６の間にＲＦＩＤラベル連続体１および熱転写インクリボン２７を挟持し、プラテンローラー２６を回転駆動するとともに、サーマルヘッド２５からの印字信号によりＲＦＩＤラベル連続体１（ＲＦＩＤラベル３）の表面上に可変情報１１を印字可能としている。
なお、固定情報１０はあらかじめ印刷機（図示せず）によりＲＦＩＤラベル３の表面上に、たとえば「管理Ｎｏ．」を表示しておき、サーマルプリンター１７により可変情報１１として、管理Ｎｏ．としてたとえば視認可能な「○○△△」および光学的に読み取り可能なバーコードなどを印字する。
【００３１】
剥離部２２は、剥離ピン３０および台紙巻取り軸３１を有し、剥離ピン３０においてＲＦＩＤラベル連続体１の台紙２のみを転向させて台紙巻取り軸３１に巻き取り可能とし、台紙２のみの転向により台紙２からＲＦＩＤラベル３を剥離することができる。
なお、剥離部２２を設けることなく、台紙２付きのままＲＦＩＤラベル連続体１を発行し、任意の切断機構（図示せず）により、所定ピッチによる単葉あるいは複数枚の台紙２付きＲＦＩＤラベル３を切断して、単葉で、あるいは帯状のまま、さらにはロール状に巻き取って取り扱うこともできる。
【００３２】
こうした構成のＲＦＩＤラベル連続体１およびＲＦＩＤラベル３において、ＲＦＩＤインレット６に接してＲＦＩＤ磁性シート８をあらかじめ内蔵積層した状態でＲＦＩＤラベル３を得ることができる。
【００３３】
図５は、印字済みのＲＦＩＤラベル３を金属製品Ｍに取り付けた状態の側面図であって、金属製品ＭとＲＦＩＤインレット６との間にＲＦＩＤ磁性シート８を介在させて取り付けることができる。
したがって、ＲＦＩＤインレット６に金属製品Ｍが近接していても、リーダーライター３２からの電波がＲＦＩＤインレット６をこえてＲＦＩＤ磁性シート８まで集中する結果、リーダーライター３２によりＲＦＩＤラベル３との間でデータ通信を有効に行うことができる。
さらに、ＲＦＩＤラベル３自体がＲＦＩＤ磁性シート８をその内部に保有しているので、ＲＦＩＤラベル３の取付け形態を必要に応じて選択することができる。
【符号の説明】
【００３４】
１  ＲＦＩＤラベル連続体（実施例、図１、図２）
２  台紙
３  ＲＦＩＤラベル（実施例、図１、図２）
４  ラベル基材
５  第１の粘着剤層
６  ＲＦＩＤインレット
７  第２の粘着剤層
８  ＲＦＩＤ磁性シート
９  第３の粘着剤層（シート用粘着剤層）
１０  固定情報
１１  可変情報
１２  インレットシート
１３  ＩＣチップ
１４  ＲＦＩＤアンテナ
１５  位置検出用マーク
１７  サーマルプリンター（図３）
１８  供給部
１９  検出部
２０  データ読書き部
２１  印字部
２２  剥離部
２３  光学センサー
２４  内蔵アンテナ
２５  サーマルヘッド
２６  プラテンローラー
２７  熱転写インクリボン
２８  供給軸
２９  巻取り軸
３０  剥離ピン
３１  台紙巻取り軸
３２  リーダーライター（図５）
Ｍ    金属製品（図５）
【図１】
2013156905.tif 000003
【図２】
2013156905.tif 000004
【図３】
2013156905.tif 000005
【図４】
2013156905.tif 000006
【図５】
2013156905.tif 000007